(57)【要約】      （修正有）【課題】在来のソケット部に簡易な仕組みで活動時、休息時モードを追加してより長い時間の装用と指先で調節を目指した義足のソケット部を提供する。【解決手段】切断足の断端を挿入する義足のソケット部であって、略円筒体からなるソケット内面に突部９、１０と、突部圧迫子孔５に突部圧迫子ととを設けてなり、突部圧迫子をソケット外周から突部圧迫ベルトを締めたり緩めたりして、圧迫力の加減ができることを特徴とする。【選択図】図１
2013118885.tif 000002
【特許請求の範囲】
【請求項１】
切断足の断端を挿入する義足のソケット部であって、切断足の断端を挿入する義足のソケット部であって、略円筒体からなるソケット内面に突部と突部圧迫子を設けられてなり、突部圧迫子をソケット外周より圧迫力の加減ができることを特徴とするソケット部。
【発明の詳細な説明】
【技術分野】
【０００１】
この発明は、義足に関し、特に、活動時、休息時等の使用状況に合わせてソケットの調節ができることで歩行を補助するために用いられる義足のソケット部に関するものである。
【背景技術】
【０００２】
在来式の義足は、たとえば下腿義足の場合では、体重を支持しながら切断足の断端の動きを大地等に伝える略円筒状のソケット部、切断足の断端を挿入するための略円筒状のソケット部（義足の下腿部にあたる。）と、このソケット部における断端を挿入する側の端部とは反対側の端部に取り付けられる合成樹脂製の義足部と、を備えた構成となっている。また、大腿義足の場合では、体重を支持しながら切断足の断端の動きを大地等に伝えるために、切断足の断端を挿入するための略円筒状のソケット部（義足の大腿部に当たる。）と、このソケット部における断端を挿入する側の端部とは反対側の端部に取り付けられる合成樹脂製の下腿部と、この下腿部におけるソケット部が取り付けられる側とは反対側の端部に取り付けられる合成樹脂製の義足部と、を備えた構成となっている。なお、これらのソケット部には懸垂バンド等が取り付けられていて、義足が切断足の断端から外れるのを防止しているものも知られている。ここでソケット部は、その装飾性、使用性、及び耐久性等を考慮して、プラスチック等の合成樹脂で製造することが一般的である（例えば、特許文献1参照）。さらに義足の略円筒体内面にスポンジあるいはバネなど緩衝材を付け、それを覆うように革張にしているものもある（例えば、特許文献2参照）。
さらに又、（例えば、特許文献３参照）第１のテーパー状略円筒体とスリット付第２のテーパー状略円筒体を組み合わせて、要所の弾性を減らし硬ソケットのごとくした代わりに切断足の断端を挿入するソケット内径を可変内径となしたものもある。
【先行技術文献】
【特許文献】
【０００３】
【特許文献１】特開平８−８９５１９号公報
【特許文献２】登録実用新案３１２９６９５号
【特許文献３】特願２００８−２７６２１３号
【発明の概要】
【発明が解決しようとする課題】
【０００４】
在来式の差し込みソケット（注１）型の義足は、切断足の断端とソケット内面との間に余裕を持たせて適合させたものであり、ゆっくり歩いたりする軽い運動や室内等でくつろぐ時などは都合がよいが、力強く速く歩く等激しい運動をするときは自己懸垂性が不足し、皮膚等の擦れ、傷みが激しくなり、長距離歩行等や長時間の使用がしにくいという難点がある。とくに加齢等で痩せて骨ばった断端は、体重支持部位も小さく狭くなり、単位荷重が増しさらに自己懸垂性も低下して皮膚等の擦れ、傷みが激しくなる難点がある。
【０００５】
前項、登録実用新案３１２９６９５号は、差し込みソケット（注１）型の義足の改良型であることから、差し込みソケットの軸方向に板バネを使用することにより断端の差し込みは容易で、耐久性も良好となり、力強く速く歩く等激しい運動をするときは充分な自己懸垂性が得られ、長距離歩行や長時間の使用が可能となったが、しかし、板バネは義足のソケットの軸方向に延伸するように取り付けられており、断端はソケットの軸方向に滑りやすく、皮膚等の擦れも解消は限定的との難点がある。また、ゆっくり歩いたりする軽い運動や室内等でくつろぐ時などは、断端は常に板バネから静圧を受け苦痛となっていた。
【０００６】
前項、特願２００８−２７６２１３号は、差し込みソケット（注１）型の義足の改良型であることから性能も比較的よい、足首あたりがやや太めになる難点がある。
【０００７】
在来式の全面接触ソケット（注２）型の義足は、切断足の端断が加齢でやせたり、神経過敏の人では適合しにくくなることもあり難点がある。
【０００８】
前項、特開平８−８９５１９号公報は、吸着式ソケット（注３）型の義足であり、切断足の断端に対して緩衝材を持たず、その役を断端の筋肉等に依存しているため、痩せた断端には適さない難点がある。
【０００９】
注１  切断端とソケット内面との間に余裕を持たせて適合させたソケットの総称（ＪＩＳ用語）。
注２  切断端とソケット内面との間に余裕を無くし断端表面全体がソケット内壁と緊密に接触するように適合させた、ソケットの総称（ＪＩＳ用語）。
注３  ソケット内壁で断端の軟部組織を適度に圧迫することによって、ソケット内面と断端表面との間に吸着作用を生じさせ自己懸垂性を持たせたソケットの総称（ＪＩＳ用語）。
【００１０】
本発明は、以上のような難点をなくすためになされたものであり、ゆっくり歩いたりする軽い運動や室内等で机に向かう仕事の時などにも都合がよく、力強く速く歩く等激しい運動をするときにも充分な自己懸垂性を得て長時間の歩行や激しい運動等に使用しても皮膚等の擦れ傷みを小さく抑えことができるソケット部を提供することを課題としている。
【課題を解決するための手段】
【００１１】
このような課題を解決するために、請求項１の発明は、切断足の断端を挿入する義足のソケット部であって、略円筒体からなるソケット内面に突部と突部圧迫子を設けられてなり、突部圧迫子をソケット外周より圧迫力の加減ができることを特徴とするソケット部を提供する。
この場合、突部は凸凹状であればよく、たとえばリング状や点字ブロック状の突起または帯状の突起であってもよい。また、ヤスリやサンドペーパーのような凸凹状あるいは梨地状、鮫肌状であってもよい。
【発明の効果】
【００１２】
請求項１の発明のソケット部は、切断足の断端を挿入する義足のソケット部であって、略円筒体からなるソケット内面に突部と突部圧迫子を設けられてなり、突部圧迫子をソケット外周より圧迫力の加減ができることを特徴としているので、使用者が本発明のソケット部を使用する時には、いつも使用状況に対して最適な自己懸垂性を保つように調整することが可能となり、ゆっくり歩いたりする軽い運動や室内等で机に向かう仕事の時とか、くつろぐ時などや、力強く速く歩く等激しい運動をするときに対しても最適な自己懸垂性を得て、ソケット部の軸方向への断端の滑りを調整することができる。したがって、力強く速く歩いたり激しい運動をするとき等擦れや傷みの発生する虞のあるときは自己懸垂性を高め、ソケット部の軸方向への断端の滑りを減らすことができ、皮膚等の擦れ、傷みを小さくできるという効果がある。また、ゆっくり歩いたりする軽い運動や室内等でくつろぐ時などは自己懸垂性を低くして、切断足の断端とソケット部との間に余裕を持たせて適合させることにより断端への静圧を苦痛と感じることを和らげることができ、さらにエコノミー症候群の心配が減るという効果がある。
【図面の簡単な説明】
【００１３】
【図１】本発明の実施例１を示すソケット部の前からみた断面概略図である。
【図２】本発明の実施例１を示す突部圧迫子の正面図と側断面概略図である。
【発明を実施するための形態】
【００１４】
本願請求項１の発明のソケット部を使用するときは、使用者は、突部圧迫ベルト１１を用い、例えば、切断足の断端をソケットに挿入した状態で力強く速く歩く等激しい運動をするときは、突部圧迫子６を、突部圧迫ベルト１１にてソケット外周から締めて押込み圧迫を増し、断端への圧迫力を大きくすることができるから、したがって、自己懸垂性を向上させ、ソケット部の軸方向への断端の滑りも少なくすることができる。また、ゆっくり歩いたりする軽い運動や室内等でくつろぐ時などは、突部圧迫子６へのソケット外周からの加圧を減らして、断端への圧迫力を小さくすることができるから、したがって、自己懸垂性をいくらか減らしたり、ソケット部の軸方向への断端の滑りをいくらか多くすることもできる。したがって、使用状況に応じて最適な圧迫力を選択でき、最適な自己懸垂性を保つように調整することができるので、皮膚等の擦れや傷みの発生する虞のあるときは、その状況に応じた最適な自己懸垂性を得ることができるから、皮膚等の擦れ、傷みを小さくすることができる。
【００１５】
たとえば、屋外で使用する場合は力強く速く歩くために、突部圧迫ベルト１１を締めて断端への圧迫力を大きくすることにより、自己懸垂性を向上させ、断端のソケット部の軸方向への滑りも少なくすることができ、皮膚等の擦れや傷みを小さくすることが可能となる。室内で使用する場合はゆっくり歩けばよく、皮膚等の擦れや傷みの発生の虞が少ないので、突部圧迫ベルト１１を緩めて断端への圧迫力を小さくして、自己懸垂性をいくらか減らしても、断端はソケット部の軸方向へ滑りにくくなり、長時間使用してもソケット部から受ける静圧による苦痛を和らげることができる。
【００１６】
また、断端袋を装着する場合も、冬など厚めの断端袋を装着する場合は突部圧迫ベルト１１を緩めて断端への圧迫力を調整し、夏など薄めの断端袋を装着する場合は突部圧迫ベルト１１を締めて断端への圧迫力を調整して、自己懸垂性を調整し、ソケット部から受ける静圧による苦痛を和らげることもできる。
【００１７】
１００はソケット部、１０１はソケットである。
ソケット１０１は、ＦＲＰ製の略円筒体1の細径端側に木製の底部材３が接着箇所２で接着されて取り付けられている。
略円筒体の内側の大きさは切断足の断端とソフトインサート１０２及び断端袋と突部圧迫子６を収納できる大きさとなっている。
突部圧迫子孔５は横３０ミリ縦１５ミリ楕円形をなしている。
図示しないが、突部加圧ベルト１１は、幅３２ミリ、長さ３８０ミリの面ファスナー付金具で折り返して調節して留めるもの等でよい。
【００１８】
突部圧迫子６は、図２の６．１から６．３に示すように半月状金属板（長さ５５ミリ幅２５ミリ）とゴム製軸（横３０ミリ縦１５ミリ高さ１３ミリ）（木材等でも良い）で構成されていて、突部圧迫子軸孔５に略円筒体1の内側から挿入されて用いられ略円筒体1の外側に突き出した軸の押し込み加減を調節する仕組みとなっている、突部圧迫ベルト１１は、略円筒体1の外側を１周して、突部圧迫子軸孔５から略円筒体1の外側に突き出した軸の押し込みを加減して締込み面ファスナー止めで用いる。なお、好みによって略円筒体1の外側に突き出した突部圧迫子６の軸に安定板を取り付けるとよい。また、突部圧迫子６の半月状金属板の大きさ、形状は切断足の断端の状態に合わせるとよい。
【００１９】
なお、底部材３の下面側には図示していないが合成樹脂製の義足部が接着剤で接着されている。また、義足部は底部材３の下面側に接着した例であるが、底部材３を省略する場合は略円筒体に直接接着してもよい、またコネクター装着もよい。
【００２０】
ソフトインサート１０２は、図示のごとく皮製の軟略円筒体７の外側に、３ミリ厚の軟性発泡樹脂リング８を接着して備え、突部９は、２．２ミリ厚の弾性ゴムでリング状に接着されてなり、位置は切断足断端に力を入れたとき多少とも固くなり膨らむ力瘤ができる辺りがよい、突部圧迫子軸孔５もこの高さでソケット背面に設けられているので突部圧迫子６にソケット使用時に接することができる。突部１０は、２．２ミリ厚の弾性ゴムでリング状に切断足断端の辺りに接着、軟略円筒体７は内張り材を兼ねていて、内張り材内周面は切断足の断端の形状に合わせてある。なお、軟性発泡樹脂リング８、突部９，１０により断端の側面部分の皮膚等へ適宜な凹凸を設けている。また、突部はリング径収縮を容易くできる凸凹状あるいは、ヤスリやサンドペーパーのような細かい凸凹状あるいは梨地状、鮫肌状でも良い。
【００２１】
さらに図示しない懸垂バンドの面ファスナーをソケット１０１の外周に接着剤などで接着されている面ファスナー４に押し当てて留める。なお、面ファスナー４は従来の接続端子であってもよい。さらに、切断足の断端をインサート１０２に挿入する時には断端袋を装着することもできる。
【００２２】
なお、本発明の試用者は昭和２０年受傷し昭和２１年以来の差込ソケット型の義足の使用暦をもち、近年の歩容は対の足の膝関節変形症が進行して跋行性が高まり、短い義足の使用時間でも疲れることがあったが、試用中に対の足の膝関節変形症による炎症も良くなり、歩容が改善され、長時間の使用でも疲れることが少なくなった。この原因としては、本発明品を使用した義足の切断足の断端への適度な圧迫や先端部をリングで支持する構造が足の動作の機敏さに繋がり、足取りが軽くなり、歩行等動作時に対の足の膝の負担を軽くしたことが考えられる。
【符号の説明】
【００２３】
１００  ソケット部
１０１  ソケット
１０２  ソフトインサート
１  略円筒体
２  接着箇所
３  底部材
４  面ファスナー
５  突部圧迫子孔
６  突部圧迫子
７  軟略円筒体
８  軟性発泡樹脂リング
９  突部      
１０  突部      
１１  突部圧迫ベルト
【図１】
2013118885.tif 000003
【図２】
2013118885.tif 000004
【手続補正書】
【提出日】平成24年1月6日(2012.1.6)
【手続補正１】
【補正対象書類名】図面
【補正対象項目名】図１
【補正方法】変更
【補正の内容】
【図１】
2013118885.tif 000005
【手続補正書】
【提出日】平成24年4月5日(2012.4.5)
【手続補正１】
【補正対象書類名】特許請求の範囲
【補正対象項目名】請求項１
【補正方法】変更
【補正の内容】
【請求項１】
切断足の断端を挿入する義足のソケット部であって、切断足の断端を挿入する義足のソケット部であって、略円筒体からなるソケット内面に突部と突部圧迫子を設けられてなり、突部圧迫子に備えた軸によりソケット外周より圧迫力の加減ができることを特徴とするソケット部。
【手続補正２】
【補正対象書類名】明細書
【補正対象項目名】００１１
【補正方法】変更
【補正の内容】
【００１１】
このような課題を解決するために、請求項１の発明は、切断足の断端を挿入する義足のソケット部であって、略円筒体からなるソケット内面に突部と突部圧迫子を設けられてなり、突部圧迫子に備えた軸によりソケット外周より圧迫力の加減ができることを特徴とするソケット部を提供する。
この場合、突部は凸凹状であればよく、たとえばリング状や点字ブロック状の突起または帯状の突起であってもよい。また、ヤスリやサンドペーパーのような凸凹状あるいは梨地状、鮫肌状であってもよい。
【手続補正３】
【補正対象書類名】明細書
【補正対象項目名】００１２
【補正方法】変更
【補正の内容】
【００１２】
請求項１の発明のソケット部は、切断足の断端を挿入する義足のソケット部であって、略円筒体からなるソケット内面に突部と突部圧迫子を設けられてなり、突部圧迫子に備えた軸によりソケット外周より圧迫力の加減ができることを特徴としているので、使用者が本発明のソケット部を使用する時には、いつも使用状況に対して最適な自己懸垂性を保つように調整することが可能となり、ゆっくり歩いたりする軽い運動や室内等で机に向かう仕事の時とか、くつろぐ時などや、力強く速く歩く等激しい運動をするときに対しても最適な自己懸垂性を得て、ソケット部の軸方向への断端の滑りを調整することができる。したがって、力強く速く歩いたり激しい運動をするとき等擦れや傷みの発生する虞のあるときは自己懸垂性を高め、ソケット部の軸方向への断端の滑りを減らすことができ、皮膚等の擦れ、傷みを小さくできるという効果がある。また、ゆっくり歩いたりする軽い運動や室内等でくつろぐ時などは自己懸垂性を低くして、切断足の断端とソケット部との間に余裕を持たせて適合させることにより断端への静圧を苦痛と感じることを和らげることができ、さらにエコノミー症候群の心配が減るという効果がある。